(57)【要約】【課題】比較的容易に作られ、その外観を美しく表現できる立体効果がある容器を提供する。【解決手段】金属製の外容器１と非金属製の内容器２と３Ｄ動画片３とで構成される。外容器１は円筒状の本体１０を持ち、本体１０の外周囲には蓋あけ連接桿１１が固設され、蓋あけ連接桿１１の上端には上蓋１２が枢接され、本体１０の底部近くの外表面には踏み板１３が設置され、踏み板１３は蓋あけ連接桿１１と連接されている。内容器２は下内容器部２０と上内容器部２１とが一体に形成されおり、上内容器部２１には接触縁２１０が突出して形成され、接触縁２１０は本体１０の上端開き口周縁に受け止められ、外周面２１１には貼り付け部２１２を持つ。３Ｄ動画片３は上内容器部２１の貼り付け部２１２に貼り付けられ、３Ｄ動画層３０と絵画層３１とで組み合わせられる。【選択図】図１
0003129920.tif 000002
【実用新案登録請求の範囲】
【請求項１】
外容器と、前記外容器の外周面に直立して固設される蓋あけ連接桿と、前記蓋あけ連接桿の上端に枢接される上蓋と、前記蓋あけ連接桿の下端と連接され、前記外容器の底部から突出して設置される踏み板と、
前記外容器の中に入れて置かれ、且つ前記外容器の高さと同じ高さを持つ下内容器部と、前記下内容器部の上に連続して設置される上内容器部とを持つ内容器と、
前記上内容器部の外周面に貼り付けられる３Ｄ動画片と、
を備えることを特徴とする立体効果がある容器。
【請求項２】
前記立体動画片は複合材質で作られるボディークリーナー入れ、ソープ入れ等に応用可能であることを特徴とする請求項１に記載の立体効果がある容器。
【請求項３】
前記上内容器部は前記外容器の上方の空間に位置し、前記上内容器部の外周面の色彩を変化させることにより、価値と美観とを増加させることを特徴とする請求項１に記載の立体効果がある容器。
【請求項４】
外容器と、蓋あけ連接桿と、上蓋と、踏み板と、
前記外容器の中に設置され、下内容器部と上内容器部とが一体に形成される内容器と、を備え、
前記外容器と前記上蓋との間には空間が形成されていることを特徴とする立体効果がある容器。
【請求項５】
前記３Ｄ動画片は３Ｄ動画効果装置で代用されることを特徴とする請求項１に記載の立体効果がある容器。
【考案の詳細な説明】
【技術分野】
【０００１】
本考案は、金属性の容器に関するものであり、特に立体効果がある容器を指す。
【背景技術】
【０００２】
従来の金属製の容器は、色々な物を入れる様に応用されており、よく使用されているものにはゴミ入れがある。一般的に錆びることを防ぐ為に主としてステンレスが使用されており、ステンレス板を円筒形に曲げ、その接ぎ目を溶接して縦方向の一条すじを持っており、一体に成形されていない。もし、圧延式に容器に直接成型させる時は、その技術は非常に困難であり且つコストは高くつく。製造されたあとの不合格品の比率が高い。そのほか、ステンレス板を円筒形に成型して接ぎ目を溶接する場合でも、その上端に折り返し縁を作る時の接ぎ目の加工も至って難しく、時間がかかり、不良品がでる。
【考案の開示】
【考案が解決しようとする課題】
【０００３】
本考案では金属製容器を比較的容易に作られる金属製容器を提供するほか、その観を美しく表現できる様にすることを課題とする。
【課題を解決するための手段】
【０００４】
本考案は、金属製容器を複合材質、即ち金属製の外容器と非金属材の内容器とで構成し、内容器は高く作って外容器の上方に突き出させ、その突出した部分の外表面に３Ｄ動画片を貼り付け、容器の美観を良くしてその商品価値を高める。
【考案を実施するための最良の形態】
【０００５】
本考案の３Ｄ効果がある容器は、図１から図３に示す様に金属製外容器１と非金属製内容器２と３Ｄ動画片３とで構成される。
金属製外容器１は円筒状の本体１０を持ち、蓋あけ連接桿１１は本体１０の外周囲のある箇所に直立に固設され、更に上蓋１２は蓋あけ連接桿１１の上端に枢接されている。踏み板１３は本体１０の底部近くの外表面から突出して設置され、この踏み板１３の後端は蓋あけ連接桿１１と連接されている。
【０００６】
内容器２は非金属材質で作られ、下内容器部２０と上内容器部２１の二段が一体に形成されている。上内容器部２１の最下端の周面には接触縁２１０が突出して形成され、この接触縁２１０は金属製外容器１の本体１０の上端開き口の周縁に受け止められる。上内容器部２１の外周面２１１と本体１０の外周面とは相互に一致して、外周面２１１の上には貼り付け部２１２を持っている。
【０００７】
３Ｄ動画片３は上内容器部２１の外周面２１１の貼り付け部２１２の上に固く貼り付けられ、３Ｄ動画層３０と絵画層３１とで組み合わせられている。
本実施例の容器を使用する時は、外容器１の踏み板１３を足でおさえて外蓋１３をおし上げて、内容器２を外容器１の本体１０の中に入れて置き、内容器２の接触縁２１０を外容器１の本体１０の上端周縁にもたせると、上内容器部２１の外周面２１１と本体１０の外周面とは一致し、踏み板１３から足を離せばおし上げられていた上蓋１２は蓋あけ連接桿１１の作動で自動的に降下し内容器２の上内容器部２１の上端開き口を閉じ塞ぐ。踏み板１３を足で踏んで上蓋１３をおし開けば、ごみを内容器２の中に投げこむことができる。
【０００８】
本考案の第２実施例は図１１に示す様に、外容器１と内容器２と３Ｄ動画組４とで構成される。外容器１は円筒形の本体１０を持ち、蓋あけ連接桿１１は本体１０の外周のある箇所に垂直状に固定され、その下端は本体１０の底部から外に突き出て設置される踏み板１３と連結され、その上端には上蓋１２が枢接されている。内容器２は非金属材で作られ、下内容器部２０と上内容器部２１とが一体に形成され、下内容器部２０の下端直径は上端よりやや小さくしている。更に上内容器部２１の底端には接触縁２１０が突出して形成され、本体１０の上端開き口周縁に受け止められる。又上内容器部２１の外周面２１１と本体１０の外周面とは一致して、且つ貼り付け部２１２を持つ。３Ｄ動画組４は上内容器部２１の貼り付け面２１２に固く貼り付けられ、３Ｄ動画ＩＣ層４０とスイッチ４１とで構成され、スイッチ４１は指で圧して開閉する。
第２実施例を使用する時、スイッチ４１を指で一度圧せば、３Ｄ動画ＩＣ層４０に動画が現れる。もう一度スイッチ４１を圧せば動画は消える。
【０００９】
（考案の効果）
本考案には次の効果がある。
（１）本考案の立体効果のある容器は、その金属製外容器が非金属製内容器の約半分の大きさであり、比較的高価な材料を節約してコストを下げられるため、市場競争上有利である。
（２）非金属製の内容器の材質を変更させることにより、比較的安価な材料を選択できる。
（３）外容器と内容器の形状を変化させ、図３と４とが示すとおり価値の異なる製品を作ることができる。
（４）３Ｄ動画片は容器の美観を良くする。
（５）金属製外容器の上に伸び出る非金属製内容器の外周に３Ｄ動画片を貼り付けて容器の美観を良くして応用し、図５から図１０までに示す容器、歯ブラシ入れ、ボディークリーナー入れ、便器ブラシ入れ、歯みがきコップ等の色々さまざまな容器に応用でき、その商品価値を高めることができる。
（６）３Ｄ動画組４はスイッチ４１を入れると立体動画ＩＣ層が動作していきいき動画があらわれ、興味をそそることができる。
【図面の簡単な説明】
【００１０】
【図１】本考案の第１実施例における立体効果がある容器を示す分解斜視図である。
【図２】本考案の第１実施例における立体効果がある容器を示す斜視図である。
【図３】本考案の第１実施例における立体効果がある容器の応用造形を示す斜視図である。
【図４】本考案の第１実施例における立体効果がある容器の別の応用造形を示す斜視図である。
【図５】本考案の第１実施例における立体効果がある容器を歯ブラシ入れに応用したものを示す斜視図である。
【図６】本考案の第１実施例における立体効果がある容器をボディーローション瓶に応用したものを示す斜視図である。
【図７】本考案の第１実施例における立体効果がある容器をコットン容器に応用したものを示す斜視図である。
【図８】本考案の第１実施例における立体効果がある容器をソープ入れに応用したものを示す斜視図である。
【図９】本考案の第１実施例における立体効果がある容器を便器ブラシ入れに応用したものを示す斜視図である。
【図１０】本考案の第１実施例における立体効果がある容器を口洗いコップに応用したものを示す斜視図である。
【図１１】本考案の第２実施例における立体効果がある容器を示す分解斜視図である。
【符号の説明】
【００１１】
１:外容器、１０：本体、１１：蓋あけ連接桿、１２：上蓋、１３：踏み板、２：内容器、２０：下内容器部、２１：上内容器部、２１０：接触縁、２１１：外周面、２１２：貼り付け部、３：３Ｄ動画片、３０：３Ｄ動画層、３１：絵画層、４：３Ｄ動画組、４０：３Ｄ動画ＩＣ層、４１：スイッチ
【図１】
0003129920.tif 000003
【図２】
0003129920.tif 000004
【図３】
0003129920.tif 000005
【図４】
0003129920.tif 000006
【図５】
0003129920.tif 000007
【図６】
0003129920.tif 000008
【図７】
0003129920.tif 000009
【図８】
0003129920.tif 000010
【図９】
0003129920.tif 000011
【図１０】
0003129920.tif 000012
【図１１】
0003129920.tif 000013